(57)【要約】【課題】動画記録の開始時や終了時に自動的にフォーカス効果を得る撮影機器を提供すること。【解決手段】撮影機器は、撮影光学系２０１を通した被写体像を所定のフレームレートで取得する撮像手段１１と、撮像手段１１で取得された複数フレームの画像を記録媒体３５に記録する記録手段１０１と、記録開始指示に応じて記録用画像の取得を開始し、記録終了指示に応じて記録用画像の取得を終了するように撮像手段１１を制御する撮像制御手段１０１と、記録する画像の先頭部に次第に像ぼけが変化する複数フレームの画像を含める、および記録する画像の末尾部に次第に像ぼけが変化する複数フレームの画像を含める、の少なくとも一方を行う効果付与手段１０１と、を備える。【選択図】図２
2012134810.tif 000002
【特許請求の範囲】
【請求項１】
撮影光学系を通した被写体像を所定のフレームレートで取得する撮像手段と、
前記撮像手段で取得された複数フレームの画像を記録媒体に記録する記録手段と、
記録開始指示に応じて記録用画像の取得を開始し、記録終了指示に応じて記録用画像の取得を終了するように前記撮像手段を制御する撮像制御手段と、
記録する画像の先頭部に次第に像ぼけが変化する複数フレームの画像を含める、および記録する画像の末尾部に次第に像ぼけが変化する複数フレームの画像を含める、の少なくとも一方を行う効果付与手段と、
を備えることを特徴とする撮影機器。
【請求項２】
請求項１に記載の撮影機器において、
前記撮影光学系の焦点位置を調節するフォーカス調節手段をさらに備え、
前記効果付与手段は、
前記記録開始指示に応じて、焦点調節状態を一旦変更してから該変更前の焦点調節状態へ戻すように前記フォーカス調節手段へ指示する一方、前記変更前の焦点調節状態へ戻る前に前記撮像手段に記録用画像の取得を開始させ、
前記記録終了指示に応じて、前記焦点調節状態を変更するように前記フォーカス調節手段へ指示する一方、当該変更後に前記撮像手段に記録用画像の取得を終了させる、
ことを特徴とする撮影機器。
【請求項３】
請求項１に記載の撮影機器において、
前記撮影光学系の絞りを調節する絞り調節手段をさらに備え、
前記効果付与手段は、
前記記録開始指示に応じて、絞り調節状態を一旦変更してから該変更前の絞り調節状態へ戻すように前記絞り調節手段へ指示する一方、前記変更前の絞り節状態へ戻る前に前記撮像手段に記録用画像の取得を開始させ、
前記記録終了指示に応じて、前記絞り調節状態を変更するように前記絞り調節手段へ指示する一方、当該変更後に前記撮像手段に記録用画像の取得を終了させる、
ことを特徴とする撮影機器。
【請求項４】
請求項１〜３のいずれか一項に記載の撮影機器において、
前記フォーカス調節手段は、前記記録開始指示の前に主要被写体に合焦するように前記焦点位置を調節することを特徴とする撮影機器。
【請求項５】
請求項１または２に記載の撮影機器において、
前記フォーカス調節手段は、前記記録開始指示に応じて主要被写体に合焦するように前記焦点位置を調節し、
前記効果付与手段は、前記調節後の焦点調節状態を一旦変更してから該変更前の焦点調節状態へ戻すように前記フォーカス調節手段へ指示する一方、前記変更前の焦点調節状態へ戻る前から前記撮像手段に記録用画像の取得を開始させることを特徴とする撮影機器。
【請求項６】
請求項１に記載の撮影機器において、
画像を加工して該画像にぼかしを付加するぼかし付加手段をさらに備え、
前記効果付与手段は、
前記取得された複数フレームの画像の先頭フレームの画像を所定枚数複製し、該複製画像のそれぞれに対して次第に像ぼけが減少するように異なるぼかしを付加する、および前記取得された複数フレームの画像の末尾フレームの画像を所定枚数複製し、該複製画像のそれぞれに対して次第に像ぼけが増加するように異なるぼかしを付加する、の少なくとも一方を行う、
ことを特徴とする撮影機器。
【発明の詳細な説明】
【技術分野】
【０００１】
本発明は、動画撮影する撮影機器に関する。
【背景技術】
【０００２】
ぼけた状態から徐々にピントを合わせるフォーカスイン、ピントが合った状態から徐々にぼかしていくフォーカスアウトを行う撮影機器が知られている（特許文献１参照）。
【先行技術文献】
【特許文献】
【０００３】
【特許文献１】特開２００８−４６２２５号公報
【発明の概要】
【発明が解決しようとする課題】
【０００４】
従来技術では、フォーカスイン（またはアウト）のフォーカス効果を得るために、動画撮影の途中にフォーカスイン（またはアウト）操作が必要で、動画記録の開始時や終了時に自動的に行わせる点が検討されていなかった。
【課題を解決するための手段】
【０００５】
本発明による撮影機器は、撮影光学系を通した被写体像を所定のフレームレートで取得する撮像手段と、撮像手段で取得された複数フレームの画像を記録媒体に記録する記録手段と、記録開始指示に応じて記録用画像の取得を開始し、記録終了指示に応じて記録用画像の取得を終了するように撮像手段を制御する撮像制御手段と、記録する画像の先頭部に次第に像ぼけが変化する複数フレームの画像を含める、および記録する画像の末尾部に次第に像ぼけが変化する複数フレームの画像を含める、の少なくとも一方を行う効果付与手段と、を備えることを特徴とする。
【発明の効果】
【０００６】
本発明による撮影機器では、動画記録の開始時や終了時に自動的にフォーカス効果が得られる。
【図面の簡単な説明】
【０００７】
【図１】本発明の第一の実施形態による一眼レフ電子カメラの外観を例示する図である。
【図２】電子カメラの構成を説明するブロック図である。
【図３】フォーカス調節レンズが至近側に位置する場合の画像を例示する図である。
【図４】フォーカス調節レンズが被写体側に位置する場合の画像を例示する図である。
【図５】フォーカス調節レンズが無限遠側に位置する場合の画像を例示する図である。
【図６】操作画面を例示する図である。
【図７】操作画面を例示する図である。
【図８】操作画面を例示する図である。
【図９】操作画面を例示する図である。
【図１０】効果付加動画撮影時に実行する制御処理の流れについて説明するフローチャートである。
【図１１】被写界深度が深い場合の画像を例示する図である。
【図１２】被写界深度が浅い場合の画像を例示する図である。
【図１３】第二の実施形態による効果付加動画撮影時に実行する制御処理の流れについて説明するフローチャートである。
【図１４】ボカシを付加する前の画像を例示する図である。
【図１５】ボカシを付加した後の画像を例示する図である。
【図１６】第三の実施形態による効果付加動画撮影時に実行する制御処理の流れについて説明するフローチャートである。
【発明を実施するための形態】
【０００８】
以下、図面を参照して本発明を実施するための形態について説明する。
（第一の実施形態）
図１は、本発明の第一の実施形態による一眼レフ電子カメラの外観を例示する図である。図１において、カメラ本体１００に対して着脱可能に構成される撮影レンズ鏡筒２００が装着されている。カメラ本体１００の上面に、メインスイッチＳＷ１と、レリーズボタンＳＷ２と、白黒液晶モニター３１とを有する。電子カメラの背面に、左選択スイッチＳＷ４と、右選択スイッチＳＷ５と、上選択スイッチＳＷ６と、下選択スイッチＳＷ７と、確定スイッチＳＷ８と、コマンドダイヤル５３と、動画切替レバー５５と、動画開始ボタン５７と、カラー液晶モニター２９とを有する。
【０００９】
電子カメラは、動画撮影を行うか否か、通常（効果付加なし）の動画撮影をするか、あるいは効果付加動画撮影をするかを、切替レバー５５の設定状態に応じて決定する。「効果付加」とは、被写体を際立たせる効果を動画像に付加することをいう。「効果付加動画撮影」とは、動画開始および動画終了時における撮影画像を暈かすことにより、被写体を際立たせる効果を付加する動画撮影のことをいう。本実施形態の特徴である効果付加動画撮影の詳細については後述する。
【００１０】
たとえば、切替レバー５５が白丸ポジションに切替えられている場合の電子カメラは動画撮影を行わない。また、切替レバー５５が黒丸ポジションに切替えられている場合の電子カメラは、動画開始ボタン５７の押下操作に応じて通常動画撮影を開始し、再び動画開始ボタン５７が押下操作されると通常動画撮影を終了する。
【００１１】
さらにまた、切替レバー５５が斜線つき丸ポジションに切替えられている場合の電子カメラは、動画開始ボタン５７の押下操作に応じて効果付加動画撮影を開始し、再び動画開始ボタン５７が押下操作されると効果付加動画撮影を終了する。
【００１２】
図２は、上述した電子カメラの構成を説明するブロック図である。電子カメラは、マイクロコンピュータ１０１によって制御される。メインスイッチＳＷ１は、電子カメラの電源オン／オフをそれぞれ指示する操作信号を出力する。レリーズスイッチ（ＳＷ２）は、レリーズボタンＳＷ２の押下操作に連動して静止画撮影開始を指示する信号を出力する。
【００１３】
モードスイッチＳＷ３は、電子カメラの動作モード、すなわち、撮影モードおよび再生モード等を切替えるための操作信号をそれぞれ出力する。左選択スイッチＳＷ４、右選択スイッチＳＷ５、上選択スイッチＳＷ６、および下選択スイッチＳＷ７は、それぞれ選択方向を示す操作信号を出力する。確定スイッチＳＷ８は、操作確定を示す操作信号を出力する。
【００１４】
取消しスイッチＳＷ９は、操作取消しを示す操作信号を出力する。削除スイッチ１０は、記録済み画像ファイルの削除を指示する操作信号を出力する。スイッチＳＷ１１およびスイッチＳＷ１２は、コマンドダイヤル５３の回転操作に応じて操作信号を出力する。
【００１５】
スイッチＳＷ１３およびスイッチＳＷ１４は、上述した切替レバー５５の切替操作に応じて操作信号を出力する。切替レバー５５が白丸ポジションに切替えられると、スイッチＳＷ１３およびスイッチＳＷ１４はともにオフ操作信号を出力する。切替レバー５５が黒丸ポジションに切替えられると、スイッチＳＷ１３のみがオン操作信号を出力する。切替レバー５５が斜線丸ポジションに切替えられると、スイッチＳＷ１４のみがオン操作信号を出力する。スイッチＳＷ１５は、動画開始ボタン５７の押下操作に連動して操作信号を指示する信号を出力する。
【００１６】
レンズ鏡筒２００はレンズ鏡筒内ＣＰＵ（不図示）を含み、マイクロコンピュータ１０１との間で通信を行う。レンズ鏡筒内ＣＰＵは、マイクロコンピュータ１０１からの指示に応じてフォーカス駆動装置２０５および絞り駆動装置２０３を駆動制御し、撮影光学系２０１のフォーカス調節レンズ（不図示）を光軸方向に進退移動させたり、絞り（不図示）の口径を制御する。撮像素子１１は、撮影光学系２０１によって撮像面上に結像されている被写体像を撮像し、被写体像の明るさに応じた光電変換信号を出力する。
【００１７】
本実施形態では、一眼レフ電子カメラのミラー（不図示）がダウン状態の場合に後述するＡＦ素子１５を用いて焦点検出処理を行う一方、該ミラーがアップ状態の場合には撮像素子１１からの出力信号に基づいて焦点検出処理を行う。
【００１８】
コントラストＡＦ処理回路１３は、撮像素子１１の所定画素からの出力信号（画素データ）を用いてコントラストを検出する公知のコントラスト検出方式の焦点検出処理を行う。具体的には、上記フォーカス調節レンズを進退移動させながら、画像のコントラストが最大になるレンズ位置を探し、該レンズ位置へフォーカス調節レンズを移動させることによってフォーカス調節（焦点位置の調節）を行う。
【００１９】
ＡＦ素子１５は、公知の瞳分割方式の焦点検出処理において用いるイメージセンサを含む。位相差ＡＦ処理回路１４は、ＡＦ素子１５からの出力信号に基づいて位相差検出演算処理（相関処理、位相差検出処理）を施すことにより、撮影光学系２０１の異なる領域を通過した一対の焦点検出用光束によって得られる一対の像の像ズレ量を検出する。さらに、像ズレ量に所定の変換係数を乗ずることにより、予定焦点面に対する現在の結像面の偏差（デフォーカス量）を算出する。そして、該デフォーカス量に応じて上記フォーカス調節レンズの移動方向および移動量を演算する。位相差ＡＦ処理回路１４は、デフォーカス量を解消させるレンズ位置へ向けてフォーカス調節レンズを移動させることにより、フォーカス調節（焦点位置の調節）を行う。
【００２０】
測光装置２１は、撮影光学系２１０を通過した被写体光を受光して測光演算を行う。ドライバ回路１０２は、マイクロコンピュータ１０１からの指令に応じてメカニカルシャッター２３を駆動する。ドライバ回路１０３は、マイクロコンピュータ１０１からの指令に応じてミラー機構２５を駆動する。ミラー機構２５は、ミラー（不図示）をアップ駆動またはダウン駆動する。
【００２１】
ドライバ回路１０４は、マイクロコンピュータ１０１からの指令に応じてＡＦ測距エリア照射装置２７を駆動する。ＡＦ測距エリア照射装置２７は、焦点検出処理時に測距補助光を発して被写体を照明する。
【００２２】
表示制御部２８は、マイクロコンピュータ１０１からの指令によりカラー液晶モニター２９に対する駆動信号を生成する。カラー液晶モニター２９は、画像や操作メニューなどを表示する。表示制御部３０は、マイクロコンピュータ１０１からの指令により白黒液晶モニター３１に対する駆動信号を生成する。白黒液晶モニター３１は、コマ数や撮影条件などの撮影情報を表示する。
【００２３】
外部インタフェース３３は、電子カメラ内のデータをパソコンや別の電子カメラなどの外部機器へ出力（送信）したり、外部機器からのデータを入力（受信）したりするインターフェース回路である。外部インタフェース１１３の例として、ＲＳ２３２Ｃ、ＵＳＢ、IEEE1394などがある。
【００２４】
メモリカード３５は、カードコネクター３４を介してカメラ本体１００に着脱される記録媒体である。メモリカード３５には画像データや音声データが記録される。
【００２５】
ゲイン制御部３７は、マイクロコンピュータ１０１からの指令により、動画像を記録する際にフレーム間で被写体輝度が所定値以上変化しないように、取得された画像の輝度に応じてゲイン制御を行う。具体的には、暗過ぎる画像にはゲインをかけて明るく補正し、明る過ぎる画像にはゲインをかけずに明るさを抑える補正を行う。
【００２６】
画像ボカシ処理部３９は、マイクロコンピュータ１０１からの指令により、電子的に（すなわち画像処理によって）画像にボカシを付加するボカシ処理を行う。静止画像に対してボカシを付加する際に、付加するボカシ量を加減することが可能である。動画像に対してボカシを付加する際は、連続するフレーム間で付加するボカシ量を段階的に変化させることにより、動画再生時に画像が次第にぼけていく効果や、動画再生時に画像のボカシがだんだん少なくなって次第にはっきりする効果を有する動画像を生成する。ボカシを付加した動画像を生成する場合、元の動画像そのものにボカシを付加する場合と、元の動画像から切出した画像の複製を生成し、該複製画像にボカシを付加する場合とがある。
【００２７】
動画編集処理部４０は、画像ボカシ処理部３９がボカシ量を段階的に変化させた複数フレームの画像を生成した場合に、元の動画像と連続するように該複数フレームの画像を元の動画像に入れ込んで動画像データを合成する。画像ボカシ処理部３９および動画編集処理部４０はそれぞれ、効果付加動画撮影時であって、電子的にボカシを付加する場合に上記処理を行う。
【００２８】
画像記憶メモリ４１は、上述したボカシ処理や動画像合成処理、その他後述する圧縮／伸張処理の際に一時的に画像データを格納する。圧縮／伸長回路４２は、所定の方式で画像データを圧縮処理したり、圧縮された画像データを伸長処理したりする。メモリ４３は、マイクロコンピュータ１０１の作業領域として利用される。タイマー４４は、マイクロコンピュータ１０１によって指定された時間を計時し、タイムアップ信号を出力する。
【００２９】
電子ブザー４５は、マイクロコンピュータ１０１からの指令により、ビープ音を発生させる。スピーカー４６は、マイクロコンピュータ１０１からの指令により、音声信号に基づいて音声を再生する。内蔵マイク４７は、集音した音声を電気信号に変換する。電池４９は、電子カメラ内の各部に電力を供給する。
【００３０】
本実施の形態は、上記電子カメラが行う効果付加動画撮影に特徴を有するので、以下の説明は効果付加動画撮影を中心に行う。第一の実施形態では、取得済みの元画像（または切出し画像の複製）に対して電子的にボカシを付加するのではなく、フォーカス調節レンズを移動させる（すなわち、フォーカス調節状態を変える）ことによって、ボカシを有する画像を取得する。
【００３１】
フォーカス調節状態を変えることによってボカシを有する画像を取得する場合は、次の２パターンがある。第１パターンは、フォーカス調節レンズを至近側（最短撮影距離にピントが合うレンズ位置）から被写体側（主要被写体にピントが合うレンズ位置）へ移動させることによって主要被写体像を次第にはっきりさせ、フォーカス調節レンズを被写体側（主要被写体にピントが合うレンズ位置）から至近側（最短撮影距離にピントが合うレンズ位置）へ移動させることによって主要被写体像を次第にぼかすパターンである。
【００３２】
図３は、フォーカス調節レンズが至近側に位置する場合の画像を例示する図であり、図４は、フォーカス調節レンズが被写体側に位置する場合の画像を例示する図である。図３では電子カメラに近い窓枠がはっきりする一方で人物がぼけ、図４では人物がはっきりする一方で窓枠がぼける。
【００３３】
第２パターンは、フォーカス調節レンズを無限遠側（遠方被写体にピントが合うレンズ位置）から被写体側（主要被写体にピントが合うレンズ位置）へ移動させることによって画像を次第にはっきりさせ、フォーカス調節レンズを被写体側（主要被写体にピントが合うレンズ位置）から無限遠側（遠方被写体にピントが合うレンズ位置）へ移動させることによって画像を次第に暈かすパターンである。
【００３４】
図５は、フォーカス調節レンズが無限遠側に位置する場合の画像を例示する図である。図５では電子カメラから遠い木がはっきりする一方で人物が暈ける。図４では人物がはっきりする一方で遠方の木が暈ける。
【００３５】
＜動画設定とメニュー設定＞
フォーカス調節状態を変えることによってボカシを有する画像を取得するために行われるメニュー設定操作について、図６〜図９に例示する操作画面を参照して説明する。図６は、カラー液晶モニター２９に表示される「総合メニュー」画面を例示する図である。マイクロコンピュータ１０１は、モードスイッチＳＷ３から操作信号が入力された場合に、メニューモード処理を起動して「総合メニュー」画面を表示させる。
【００３６】
マイクロコンピュータ１０１は、上選択スイッチＳＷ６、または下選択スイッチＳＷ７からの操作信号に応じて選択項目を上下に変更し、「撮影」項目を選択している状態で確定スイッチＳＷ８から操作信号が入力されると、「総合メニュー」画面に代えて「撮影メニュー」画面を表示させる。図７は、カラー液晶モニター２９に表示される「撮影メニュー」画面を例示する図である。
【００３７】
マイクロコンピュータ１０１は、上選択スイッチＳＷ６、または下選択スイッチＳＷ７からの操作信号に応じて選択項目を上下に変更し、「動画記録時の効果」項目を選択している状態で確定スイッチＳＷ８から操作信号が入力されると、「撮影メニュー」画面に代えて「動画記録時の効果」画面を表示させる。図８は、カラー液晶モニター２９に表示される「動画記録時の効果」画面を例示する図である。
【００３８】
マイクロコンピュータ１０１は、上選択スイッチＳＷ６、または下選択スイッチＳＷ７からの操作信号に応じて選択項目を上下に変更し、「この効果をつける」項目を選択している状態で確定スイッチＳＷ８から操作信号が入力されると、「動画記録時の効果」画面に代えて図９に例示する設定画面を表示させる。図９は、カラー液晶モニター２９に表示される効果設定画面を例示する図である。
【００３９】
マイクロコンピュータ１０１は、図９において、上選択スイッチＳＷ６、または下選択スイッチＳＷ７からの操作信号に応じて選択項目を上下に変更する。そして、「効果の種類」の項目を選択している状態で、右選択スイッチＳＷ５から操作信号が入力されると、「効果の種類」の中から４つの内容の選択操作を受け付ける。「至近から被写体へ、被写体から至近へ」は、上述した第１パターンに相当する。「無限遠から被写体へ、被写体から無限遠へ」は、上述した第２パターンに相当する。
【００４０】
「被写体深度変化」は、フォーカス調節状態を変えることによってボカシを得るのではなく、絞り口径を変える（すなわち、被写界深度を変える）ことによって、ボカシを有する画像を取得するものである。「被写体深度変化」の詳細は、後述する第二の実施形態において説明する。
【００４１】
「単純ボカシ」は、取得した画像に対して電子的にボカシを付加するものである。「単純ボカシ」は、上述した画像ボカシ処理部３９および動画編集処理部４０によって行う。「単純ボカシ」については後述する第三の実施形態において説明する。
【００４２】
マイクロコンピュータ１０１は、上選択スイッチＳＷ６、または下選択スイッチＳＷ７からの操作信号に応じて選択項目を上下に変更する。左選択スイッチＳＷ４から操作信号が入力されると、その時点で選択している項目に決定し、再び「効果の種類」の項目を選択している状態（図９）に戻る。
【００４３】
マイクロコンピュータ１０１は、「効果をつける時間」の項目を選択している状態で、右選択スイッチＳＷ５から操作信号が入力されると、「効果をつける時間」の中から２つの内容の選択操作を受け付ける。「１．５秒間」は、動画再生の中でボカシの付加時間を１．５秒にセットするものである。「３秒間」は、ボカシの付加時間を３秒間にセットするものである。なお、１．５秒間および３秒間は例示したものであり、これら以外の時間をセットするようにしてもかまわない。
【００４４】
マイクロコンピュータ１０１は、「効果時の音声記録」の項目を選択している状態で、右選択スイッチＳＷ５から操作信号が入力されると、「効果時の音声記録」の中から３つの内容の選択操作を受け付ける。「音声記録も連動させる」は、「効果をつける時間」の間に録音レベルを変化させるものである。ボカシ量およびボカシの付加時間に連動させて、録音レベルを絞った状態から通常レベルまで次第に上げ、録音レベルを通常レベルから次第に下げて絞る。
【００４５】
「音声記録は一定」は、「効果をつける時間」の録音レベルを一定に保つものである。ボカシを付加する間も、通常レベルで録音する。「音声記録なし」は、「効果をつける時間」の録音レベルを絞って無音にするものである。
【００４６】
マイクロコンピュータ１０１は、「設定終了」項目を選択している状態で確定スイッチＳＷ８から操作信号が入力されると、メニューモード処理を終了する。
【００４７】
(i)第１パターンによる効果付加動画撮影
マイクロコンピュータ１０１は、上記第１パターン「至近から被写体へ、被写体から至近へ」が設定されており、かつ切替レバー５５が斜線つき丸ポジションに切替えられている場合に、第１パターンの効果付加動画撮影を行う。
【００４８】
−フォーカスイン処理−
マイクロコンピュータ１０１は、動画開始ボタン５７が押下操作されると、至近側にピントが合った状態（図３）から所定時間ｔ（ｔは「効果をつける時間」に相当）をかけて次第に主要被写体にピントが合う状態（図４）へフォーカス調節レンズを移動させ、そこから通常の動画撮影を続行する。音声記録については、「効果時の音声記録」に関して選択されている項目の内容に従う。
【００４９】
−フォーカスアウト処理−
マイクロコンピュータ１０１は、動画撮影中に再び動画開始ボタン５７が押下操作されると、主要被写体にピントが合った状態（図４）から所定時間ｔ（ｔは「効果をつける時間」に相当）をかけて次第に至近側にピントが合う状態（図３）へフォーカス調節レンズを移動させ、動画撮影を終了する。音声記録については、「効果時の音声記録」に関して選択されている項目の内容に従う。
【００５０】
(ii)第２パターンによる効果付加動画撮影
マイクロコンピュータ１０１は、上記第１パターン「無限遠から被写体へ、被写体から無限遠へ」が設定されており、かつ切替レバー５５が斜線つき丸ポジションに切替えられている場合に、第２パターンの効果付加動画撮影を行う。
【００５１】
−フォーカスイン処理−
マイクロコンピュータ１０１は、動画開始ボタン５７が押下操作されると、無限遠側にピントが合った状態（図５）から所定時間ｔ（ｔは「効果をつける時間」に相当）をかけて次第に主要被写体にピントが合う状態（図４）へフォーカス調節レンズを移動させ、そこから通常の動画撮影を続行する。音声記録については、「効果時の音声記録」に関して選択されている項目の内容に従う。
【００５２】
−フォーカスアウト処理−
マイクロコンピュータ１０１は、動画撮影中に再び動画開始ボタン５７が押下操作されると、主要被写体にピントが合った状態（図４）から所定時間ｔ（ｔは「効果をつける時間」に相当）をかけて次第に無限遠側にピントが合う状態（図５）へフォーカス調節レンズを移動させ、動画撮影を終了する。音声記録については、「効果時の音声記録」に関して選択されている項目の内容に従う。
【００５３】
マイクロコンピュータ１０１が第１パターンによる効果付加動画撮影時に実行する制御処理の流れについて、図１０に例示するフローチャートを参照して説明する。切替レバー５５が斜線つき丸ポジションに切替えられると、マイクロコンピュータ１０１は、カラー液晶モニター２９にライブビュー画像を表示させて図１０による処理を起動させる。ライブビュー画像は、撮像素子１１によって所定のフレームレートで撮像された画素データに基づいて再生されるモニタ用の画像である。
【００５４】
図１０のステップＳ１０１において、マイクロコンピュータ１０１は、コントラスト検出方式の焦点検出処理を開始させてステップＳ１０３へ進む。これにより、ライブビュー画像に基づくコントラストを最大にするように主要被写体にピントを合わせ続ける。ステップＳ１０３において、マイクロコンピュータ１０１は、動画記録の開始が指示されたか否かを判定する。マイクロコンピュータ１０１は、動画開始ボタン５７が押下操作されるとステップＳ１０３を肯定判定してステップＳ１０５へ進み、動画開始ボタン５７が押下操作されない場合にはステップＳ１０３を否定判定して当該判定処理を繰り返す。
【００５５】
ステップＳ１０５において、マイクロコンピュータ１０１は、現在のフォーカス制御位置（フォーカス調節レンズの位置）をメモリ４３に一時記憶してステップＳ１０７へ進む。ステップＳ１０７において、マイクロコンピュータ１０１はレンズ鏡筒２００内のＣＰＵへ指示を送り、フォーカス調節レンズを至近端位置へ移動させてステップＳ１０９へ進む。これ以降、後述するステップＳ１１３までピント合わせを中断する。
【００５６】
ステップＳ１０９において、マイクロコンピュータ１０１は、動画記録を開始してステップＳ１１１へ進む。これにより、所定のフレームレート（たとえば、６０フレーム／秒）で画像の取得を開始する（録画開始）。なお、「音声記録なし」が選択されている場合を除いて音声の取得も開始する（録音開始）。ステップＳ１１１において、マイクロコンピュータ１０１はレンズ鏡筒２００内のＣＰＵへ指示を送り、時間ｔの間にフォーカス調節レンズをメモリ４３に一時記憶した位置まで移動させてステップＳ１１３へ進む。時間ｔは「効果をつける時間」に相当する。なお、「音声記録も連動させる」が選択されている場合は、時間ｔの間に録音レベルを無音から通常レベルまで変化するように音声ゲインを制御する。
【００５７】
ステップＳ１１３において、マイクロコンピュータ１０１は、コントラスト検出方式の焦点検出処理を再開させてステップＳ１１５へ進む。なお、マイクロコンピュータ１０１はゲイン制御部３７へ指示を送り、動画記録するフレーム間で被写体輝度が所定値以上変化しないように、取得された画像の輝度に応じて適宜ゲイン制御を行わせる。
【００５８】
ステップＳ１１５において、マイクロコンピュータ１０１は、動画記録の終了が指示されたか否かを判定する。マイクロコンピュータ１０１は、動画開始ボタン５７が押下操作されるとステップＳ１１５を肯定判定してステップＳ１１７へ進み、動画開始ボタン５７が押下操作されない場合にはステップＳ１１５を否定判定してステップＳ１１３へ戻る。ステップＳ１１３へ戻る場合は、ピント合わせおよび輝度制御をしながら画像の取得を継続する。
【００５９】
ステップＳ１１７において、マイクロコンピュータ１０１はレンズ鏡筒２００内のＣＰＵへ指示を送り、時間ｔの間にフォーカス調節レンズを至近端位置まで移動させてステップＳ１１９へ進む。時間ｔは「効果をつける時間」に相当する。なお、「音声記録も連動させる」が選択されている場合は、時間ｔの間に録音レベルを通常レベルから無音まで変化するように音声ゲインを制御する。
【００６０】
ステップＳ１１９において、マイクロコンピュータ１０１は動画記録を終了する。すなわち、取得した動画像を格納する所定の動画像ファイル、および音声データを格納する所定の音声ファイルをそれぞれ生成し、メモリカード３５に記録させて図１０による処理を終了する。
【００６１】
マイクロコンピュータ１０１が第２パターンによる効果付加動画撮影時に実行する場合は、図１０のステップＳ１０７およびＳ１１７において、それぞれ以下のように処理を行う。すなわち、ステップＳ１０７において、マイクロコンピュータ１０１はレンズ鏡筒２００内のＣＰＵへ指示を送り、フォーカス調節レンズを無限遠端位置へ移動させてステップＳ１０９へ進む。これ以降、後述するステップＳ１１３までピント合わせを中断する。
【００６２】
ステップＳ１１７において、マイクロコンピュータ１０１はレンズ鏡筒２００内のＣＰＵへ指示を送り、時間ｔの間にフォーカス調節レンズを無限遠端位置まで移動させてステップＳ１１９へ進む。時間ｔは「効果をつける時間」に相当する。なお、「音声記録も連動させる」が選択されている場合は、時間ｔの間に録音レベルを通常レベルから無音まで変化するように音声ゲインを制御する。
【００６３】
以上説明した第一の実施形態によれば、次の作用効果が得られる。
（１）電子カメラは、撮影光学系２０１を通した被写体像を所定のフレームレートで取得する撮像素子１１と、撮像素子１１で取得された複数フレームの画像を記録媒体３５に記録するマイクロコンピュータ１０１と、記録開始指示に応じて記録用画像の取得を開始し、記録終了指示に応じて記録用画像の取得を終了するように撮像素子１１を制御するマイクロコンピュータ１０１と、記録する画像の先頭部に次第に像ぼけが変化する複数フレームの画像を含める、および記録する画像の末尾部に次第に像ぼけが変化する複数フレームの画像を含める、の少なくとも一方を行うマイクロコンピュータ１０１とを備えるようにした。これにより、動画記録の開始時や終了時に自動的にフォーカスイン（またはアウト）の効果を有する動画像が得られる。
【００６４】
たとえば、動画像の再生時には、先頭部のフォーカスイン効果によって再生動画像を鑑賞する者の目を主要被写体に向けさせることができる。また、末尾部のフォーカスアウト効果によって、鑑賞者に再生終了を観念させることができる。
【００６５】
（２）電子カメラはさらに、撮影光学系２０１の焦点位置を調節するコントラストＡＦ処理回路１３を備え、マイクロコンピュータ１０１は、記録開始指示に応じて、焦点調節状態を一旦変更してから該変更前の焦点調節状態へ戻すようにコントラストＡＦ処理回路１３へ指示する一方、変更前の焦点調節状態へ戻る前に撮像素子１１に記録用画像の取得を開始させ、記録終了指示に応じて、焦点調節状態を変更するようにコントラストＡＦ処理回路１３段へ指示する一方、当該変更後に撮像素子１１に記録用画像の取得を終了させるようにした。これにより、動画記録の開始時には次第にピントが合う複数フレームの画像が得られ、動画記録の終了時には次第にピントが外れる複数フレームの画像が自動的に得られる。
【００６６】
（３）コントラストＡＦ処理回路１３は、記録開始指示の前に主要被写体に合焦するように焦点位置を調節するようにしたので、あらかじめピントが合う位置をつかんでおける。
【００６７】
（４）一眼レフタイプのカメラでは、コンパクトカメラの場合に比べて主要被写体の背景にきれいな像ぼけが得られる。この像ぼけを活かしてフォーカスイン（またはアウト）を行うことで、コンパクトカメラに比べて有利なフォーカスイン（またはアウト）の効果が得られる。
【００６８】
（変形例１）
第一の実施形態では、フォーカスイン処理においてピントを外す準備動作が終ってから（すなわち、ステップＳ１０５およびＳ１０７の後）、ステップＳ１０９において動画記録を開始したが、ステップＳ１０５およびＳ１０７の前から動画記録を開始させてもよい。
【００６９】
（変形例２）
第一の実施形態では、ピント合わせした状態（ステップＳ１０１の後）で動画記録の開始指示を受け付ける（ステップＳ１０３）ようにしたが、動画記録の開始指示を受け付けてから（ステップＳ１０３を肯定判定）ピント合わせを行い、ピント合わせ後のフォーカス調節レンズを至近端位置へ移動する（ステップＳ１０７）ように構成してもよい。
【００７０】
（変形例３）
第一の実施形態では、フォーカスイン処理においてフォーカス調節レンズを至近端位置へ移動（第１パターンの場合）、または無限遠端位置へ移動（第２パターンの場合）するようにした。この場合、フォーカス調節レンズの位置を少なくとも主要被写体からピントを外す位置へ移動させれば十分であり、必ずしも至近端位置（または無限遠端位置）まで移動させなくてもよい。たとえば、撮影画面内の複数の測距ポイントにおいて焦点調節状態を検出する多点ＡＦ測距方式の場合には、主要被写体と異なる他の被写体にピントが合う位置へフォーカス調節レンズを移動させるように構成してもよい。
【００７１】
（第二の実施形態）
第二の実施形態は、上述した「被写体深度変化」に相当し、フォーカス調節状態を変えることによってボカシを有する画像を取得するのではなく、絞り口径を変える（すなわち、被写界深度を変える）ことによって、ボカシを有する画像を取得する。
【００７２】
マイクロコンピュータ１０１は、「被写界深度変化」が設定されており、かつ切替レバー５５が斜線つき丸ポジションに切替えられている場合に、第二の実施形態の効果付加動画撮影を行う。
【００７３】
−フォーカスイン処理−
マイクロコンピュータ１０１は、動画開始ボタン５７が押下操作されると、最絞り込みによって至近から無限まで広い範囲でピントの合った状態（図１１）から所定時間ｔ（ｔは「効果をつける時間」に相当）をかけて次第に絞りを開き、主要被写体にピントが合う状態（図１２）へ被写界深度を変化させてから、通常の動画撮影を続行する。音声記録については、「効果時の音声記録」に関して選択されている項目の内容に従う。
【００７４】
図１１は、被写界深度が深い場合の画像を例示する図であり、図１２は、被写界深度が浅い場合の画像を例示する図である。図１１では、人物を含めて電子カメラに近い窓枠から遠方の木までがはっきりする。図４では人物がはっきりするだけで電子カメラに近い窓枠も遠方の木もぼける。
【００７５】
−フォーカスアウト処理−
マイクロコンピュータ１０１は、動画撮影中に再び動画開始ボタン５７が押下操作されると、主要被写体にピントが合う状態（図１２）から所定時間ｔ（ｔは「効果をつける時間」に相当）をかけて次第に絞り口径を狭くし、広い範囲でピントの合った状態（図１１）へ被写界深度を変化させてから、動画撮影を終了する。音声記録については、「効果時の音声記録」に関して選択されている項目の内容に従う。
【００７６】
マイクロコンピュータ１０１が第二の実施形態による効果付加動画撮影時に実行する制御処理の流れについて、図１３に例示するフローチャートを参照して説明する。切替レバー５５が斜線つき丸ポジションに切替えられると、マイクロコンピュータ１０１は、カラー液晶モニター２９にライブビュー画像を表示させて図１３による処理を起動させる。
【００７７】
図１３のステップＳ２０１において、マイクロコンピュータ１０１は、コントラスト検出方式の焦点検出処理を開始させてステップＳ２０３へ進む。これにより、ライブビュー画像に基づくコントラストを最大にするように主要被写体にピントを合わせ続ける。ステップＳ２０３において、マイクロコンピュータ１０１は、動画記録の開始が指示されたか否かを判定する。マイクロコンピュータ１０１は、動画開始ボタン５７が押下操作されるとステップＳ２０３を肯定判定してステップＳ２０５へ進み、動画開始ボタン５７が押下操作されない場合にはステップＳ２０３を否定判定して当該判定処理を繰り返す。
【００７８】
ステップＳ２０５において、マイクロコンピュータ１０１は、現在の絞り値をメモリ４３に一時記憶してステップＳ２０７へ進む。現在の絞り値は、たとえば、測光装置２１による測光演算結果に基づいて決定した制御絞り値である。ステップＳ２０７において、マイクロコンピュータ１０１はレンズ鏡筒２００内のＣＰＵへ指示を送り、絞り駆動装置２０５により絞りを最小口径（最絞り込み）状態へ移動させてステップＳ２０９へ進む。この際、マイクロコンピュータ１０１はゲイン制御部３７へ指示を送り、絞り値を変化させても被写体輝度が所定値以上変化しないように、取得された画像の輝度に応じて適宜ゲイン制御を行わせる。なお、後述するステップＳ２１３までピント合わせを中断する。
【００７９】
ステップＳ２０９において、マイクロコンピュータ１０１は、動画記録を開始してステップＳ２１１へ進む。これにより、所定のフレームレート（たとえば、６０フレーム／秒）で画像の取得を開始する（録画開始）。なお、「音声記録なし」が選択されている場合を除いて音声の取得も開始する（録音開始）。ステップＳ２１１において、マイクロコンピュータ１０１はレンズ鏡筒２００内のＣＰＵへ指示を送り、時間ｔの間にメモリ４３に一時記憶した絞り値まで絞りを移動させてステップＳ２１３へ進む。時間ｔは「効果をつける時間」に相当する。マイクロコンピュータ１０１はゲイン制御部３７へ指示を送り、絞り値を変化させても被写体輝度が所定値以上変化しないように、取得された画像の輝度に応じて適宜ゲイン制御させる。なお、「音声記録も連動させる」が選択されている場合は、時間ｔの間に録音レベルを無音から通常レベルまで変化するように音声ゲインを制御する。
【００８０】
ステップＳ２１３において、マイクロコンピュータ１０１は、コントラスト検出方式の焦点検出処理を再開させてステップＳ２１５へ進む。マイクロコンピュータ１０１はゲイン制御部３７へ指示を送り、動画記録するフレーム間で被写体輝度が所定値以上変化しないように、取得された画像の輝度に応じて適宜ゲイン制御を行わせる。
【００８１】
ステップＳ２１５において、マイクロコンピュータ１０１は、動画記録の終了が指示されたか否かを判定する。マイクロコンピュータ１０１は、動画開始ボタン５７が押下操作されるとステップＳ２１５を肯定判定してステップＳ２１７へ進み、動画開始ボタン５７が押下操作されない場合にはステップＳ２１５を否定判定してステップＳ２１３へ戻る。ステップＳ２１３へ戻る場合は、ピント合わせおよび輝度制御をしながら画像の取得を継続する。
【００８２】
ステップＳ２１７において、マイクロコンピュータ１０１はレンズ鏡筒２００内のＣＰＵへ指示を送り、時間ｔの間に絞りを最小口径（最絞り込み）状態へ移動させてステップＳ２１９へ進む。時間ｔは「効果をつける時間」に相当する。マイクロコンピュータ１０１はゲイン制御部３７へ指示を送り、絞り値を変化させても被写体輝度が所定値以上変化しないように、取得された画像の輝度に応じて適宜ゲイン制御を行わせる。なお、「音声記録も連動させる」が選択されている場合は、時間ｔの間に録音レベルを通常レベルから無音まで変化するように音声ゲインを制御する。
【００８３】
ステップＳ２１９において、マイクロコンピュータ１０１は動画記録を終了する。すなわち、取得した動画像を格納する所定の動画像ファイル、および音声データを格納する所定の音声ファイルをそれぞれ生成し、メモリカード３５に記録させて図１３による処理を終了する。
【００８４】
以上説明した第二の実施形態によれば、次の作用効果が得られる。すなわち、電子カメラは、撮影光学系２０１の絞りを調節する絞り駆動装置２０３をさらに備え、マイクロコンピュータ１０１は、記録開始指示に応じて、絞り調節状態を一旦変更してから該変更前の絞り調節状態へ戻すように絞り駆動装置２０３へ指示する一方、変更前の絞り節状態へ戻る前に撮像素子１１に記録用画像の取得を開始させ、記録終了指示に応じて、絞り調節状態を変更するように絞り駆動装置２０３へ指示する一方、当該変更後に撮像素子１１に記録用画像の取得を終了させるようにした。これにより、動画記録の開始時には次第に被写界深度が変化する（たとえば浅くなる）ことで像ぼけが異なる複数フレームの画像が得られ、動画記録の終了時には次第に被写界深度が変化する（たとえば深くなる）ことで像ぼけが異なる複数フレームの画像が自動的に得られる。
【００８５】
（変形例４）
上記第二の実勢形態では、ステップＳ２０７およびステップＳ２１７において、絞りを最小口径（最絞り込み）状態へ移動させるようにしたが、この代わりに、最大口径（絞りを最も開いた状態）へ移動させるようにしてもよい。
【００８６】
（第三の実施形態）
第三の実施形態は、上述した「単純ボカシ」に相当し、取得した画像に対して電子的にボカシを付加するものである。
【００８７】
マイクロコンピュータ１０１は、「単純ボカシ」が設定されており、かつ切替レバー５５が斜線つき丸ポジションに切替えられている場合に、第三の実施形態の効果付加動画撮影を行う。
【００８８】
−フォーカスイン処理−
マイクロコンピュータ１０１は、第一の実施形態および第二の実施形態と異なり、動画開始ボタン５７が押下操作されると、主要被写体にピントが合う状態（図１４）で通常の動画撮影を開始する。動画撮影の終了後に、先頭コマの画像をＮ枚（再生時間が上記ｔ「効果をつける時間」に相当する枚数）複製し、該複製した画像全体にそれぞれ段階的に異なるボカシを付加する。たとえば、複製したＮ枚のうち１枚目に最も大きなボカシを与え（図１５）、段階的にボカシを減らし、複製したＮ枚目に最も小さなボカシを与える。
【００８９】
図１４は、ボカシを付加する前の画像を例示する図であり、図１５は、ボカシを付加した後の画像を例示する図である。図１４では、人物がはっきりするだけで電子カメラに近い窓枠も遠方の木もぼける。図１５では人物を含めて画像全体がさらにぼける。
【００９０】
−フォーカスアウト処理−
マイクロコンピュータ１０１は、動画撮影中に再び動画開始ボタン５７が押下操作されると、第一の実施形態および第二の実施形態と異なり、直ちに動画撮影を終了する。動画撮影の終了後に、最終コマの画像をＮ枚（再生時間が上記ｔ「効果をつける時間」に相当する枚数）複製し、該複製した画像全体にそれぞれ段階的に異なるボカシを付加する。たとえば、複製したＮ枚のうち１枚目に最も小さなボカシを与え、段階的にボカシを増やし、複製したＮ枚目に最も大きなボカシを与える（図１５）。
【００９１】
マイクロコンピュータ１０１が第三の実施形態による効果付加動画撮影時に実行する制御処理の流れについて、図１６に例示するフローチャートを参照して説明する。切替レバー５５が斜線つき丸ポジションに切替えられると、マイクロコンピュータ１０１は、カラー液晶モニター２９にライブビュー画像を表示させて図１６による処理を起動させる。
【００９２】
図１６のステップＳ３０１において、マイクロコンピュータ１０１は、コントラスト検出方式の焦点検出処理およびプリ録音を開始させてステップＳ３０３へ進む。これにより、ライブビュー画像に基づくコントラストを最大にするように主要被写体にピントを合わせ続けるとともに、「音声記録なし」が選択されている場合を除いてメモリ４３に対して通常の録音レベルでプリ録音を行う。プリ録音は、動画開始ボタン５７が押下操作される前の所定時間ｔ（ｔは「効果をつける時間」に相当する）の音声を録音することをいう。プリ録音では、直近の時間ｔの音声データをメモリ４３に保持し、それ以前の音声データは逐次メモリ４３において上書き消去する。
【００９３】
ステップＳ３０３において、マイクロコンピュータ１０１は、動画記録の開始が指示されたか否かを判定する。マイクロコンピュータ１０１は、動画開始ボタン５７が押下操作されるとステップＳ３０３を肯定判定してステップＳ３０５へ進み、動画開始ボタン５７が押下操作されない場合にはステップＳ３０３を否定判定して当該判定処理を繰り返す。
【００９４】
ステップＳ３０５において、マイクロコンピュータ１０１は、動画記録を開始してステップＳ３０７へ進む。これにより、所定のフレームレート（たとえば、６０フレーム／秒）で画像の取得を開始する（録画開始）。なお、「音声記録なし」が選択されている場合を除いてプリ録音から通常録音に切替えることにより、動画開始ボタン５７が押下操作される直前の時間ｔおよび動画開始ボタン５７が押下操作された後に取得した音声データを上書き消去しないようにする。
【００９５】
ステップＳ３０７において、マイクロコンピュータ１０１はコントラスト検出方式の焦点検出処理を継続させてステップＳ３０９へ進む。マイクロコンピュータ１０１はゲイン制御部３７へ指示を送り、動画記録するフレーム間で被写体輝度が所定値以上変化しないように、取得された画像の輝度に応じて適宜ゲイン制御を行わせる。
【００９６】
ステップＳ３０９において、マイクロコンピュータ１０１は、動画記録の終了が指示されたか否かを判定する。マイクロコンピュータ１０１は、動画開始ボタン５７が押下操作されるとステップＳ３０９を肯定判定してステップＳ３１１へ進み、動画開始ボタン５７が押下操作されない場合にはステップＳ３０９を否定判定してステップＳ３０７へ戻る。ステップＳ３０７へ戻る場合は、ピント合わせおよび輝度制御をしながら画像の取得を継続する。
【００９７】
ステップＳ３１１において、マイクロコンピュータ１０１は動画記録を終了するとともに、動画記録終了後も所定時間ｔ（ｔは「効果をつける時間」に相当する）の音声取得を継続して（ポスト録音）ステップＳ３１３へ進む。
【００９８】
ステップＳ３１３において、マイクロコンピュータ１０１は、メモリーカード３５に記録された動画像を構成する画像のうち先頭コマの画像を切出してステップＳ３１５へ進む。ステップＳ３１５において、マイクロコンピュータ１０１は、切出し画像を上述したようにＮ枚複製し、画像ボカシ処理部３９で公知の画像処理（たとえばフィルタ処理）によってＮ枚の複製画像に段階的に異なるボカシを付与させてステップＳ３１７へ進む。
【００９９】
ステップＳ３１７において、マイクロコンピュータ１０１は動画編集処理部４０へ指示を送り、Ｎ枚の画像をボカシが大きい順に配列して動画像として編集させる。そして、ステップＳ３０５から記録した動画像の先頭に編集した動画像を付加してステップＳ３１９へ進む。なお、「音声記録も連動させる」が選択されている場合は、プリ録音時間ｔの間に録音した音声レベルを無音から通常レベルまで次第に変化するように音声ゲインを制御する。
【０１００】
ステップＳ３１９において、マイクロコンピュータ１０１は、メモリーカード３５に記録された動画像を構成する画像のうち最終コマの画像を切出してステップＳ３２１へ進む。ステップＳ３２１において、マイクロコンピュータ１０１は、切出し画像を上述したようにＮ枚複製し、画像ボカシ処理部３９で公知の画像処理（たとえばフィルタ処理）によってＮ枚の複製画像に段階的に異なるボカシを付与させてステップＳ３２３へ進む。
【０１０１】
ステップＳ３２３において、マイクロコンピュータ１０１は動画編集処理部４０へ指示を送り、Ｎ枚の画像をボカシが小さい順に配列して動画像として編集させる。そして、ステップＳ３０５から記録した動画像の終端（末尾）に編集した動画像を付加する。なお、「音声記録も連動させる」が選択されている場合は、ポスト録音時間ｔの間に録音した音声レベルを通常レベルから無音まで次第に変化するように音声ゲインを制御する。
【０１０２】
マイクロコンピュータ１０１は、ボカシを段階的に付加した動画像を元の動画像の前後にそれぞれ付加し、該付加後の動画像を格納する動画像ファイルと、音声ゲイン制御後のプリ録音による音声データ、所定の録音データおよび音声ゲイン制御後のポスト録音による音声データとを格納する音声ファイルとを、それぞれ生成し、メモリカード３５に記録させて図１６による処理を終了する。
【０１０３】
以上説明した第三の実施形態によれば、次の作用効果が得られる。すなわち、電子カメラは、画像を加工して該画像にぼかしを付加する画像ボカシ処理部３９をさらに備え、マイクロコンピュータ１０１は、取得された複数フレームの画像の先頭フレームの画像を所定枚数複製し、該複製画像のそれぞれに対して次第に像ぼけが減少するように異なるぼかしを付加する、および取得された複数フレームの画像の末尾フレームの画像を所定枚数複製し、該複製画像のそれぞれに対して次第に像ぼけが増加するように異なるぼかしを付加する、の少なくとも一方を行うようにした。これにより、動画記録の開始時には次第に像ぼけが減少する複数フレームの画像が得られ、動画記録の終了時には次第に像ぼけが増加する複数フレームの画像が自動的に得られる。
【０１０４】
以上の説明はあくまで一例であり、上記の実施形態の構成に何ら限定されるものではない。たとえば、フォーカスインおよびフォーカスアウトの両方を行わずとも、いずれか一方を行う構成でもよい。また、電子カメラは一眼レフタイプでなくてもよいのはいうまでもない。
【符号の説明】
【０１０５】
１１…撮像素子
３５…メモリカード
３９…画像ボカシ処理部
１０１…マイクロコンピュータ
２０１…撮影光学系
２０３…絞り駆動装置
２０５…フォーカス駆動装置
ＳＷ１５…動画開始／終了スイッチ
【図１】
2012134810.tif 000003
【図２】
2012134810.tif 000004
【図３】
2012134810.tif 000005
【図４】
2012134810.tif 000006
【図５】
2012134810.tif 000007
【図６】
2012134810.tif 000008
【図７】
2012134810.tif 000009
【図８】
2012134810.tif 000010
【図９】
2012134810.tif 000011
【図１０】
2012134810.tif 000012
【図１１】
2012134810.tif 000013
【図１２】
2012134810.tif 000014
【図１３】
2012134810.tif 000015
【図１４】
2012134810.tif 000016
【図１５】
2012134810.tif 000017
【図１６】
2012134810.tif 000018